(57)【要約】  【課題】真空断熱材における端部の安全性を確保する。  【解決手段】真空断熱材１を作製し、外被材２のみで構成される熱溶着部で所定の形状に切り出した後、外周を再度加熱加圧すると、熱溶着層４が溶融し端部にはみ出す。このため端部の安全性が向上する。最外層にも熱溶着性を持つ樹脂を使用すれば端部を覆うことができるためにさらに安全性が向上する。また、真空封止と合わせると真空断熱材外周部の加熱加圧が２度行われることになるために、熱溶着層４の厚さが薄くなり、さらに端部は最外層の樹脂により覆われるために端部からの侵入ガスが減り、長期に渡って断熱性能を維持できる。【選択図】図１
2006077790.tif 000002
【特許請求の範囲】
【請求項１】
芯材と、前記芯材を覆う少なくともガスバリア層と熱溶着層とを有する外被材とで構成され、前記外被材を前記芯材がある部分を含めて減圧下で加熱加圧することによって、前記外被材の熱溶着層同士を前記芯材に沿うように前記芯材の際まで熱溶着した後、間に前記芯材を含まない前記外被材のみで構成される部分で切り取りを行い、前記切り取りで残った外周部分を再度加熱加圧して、ヒートシール性のある樹脂を端部に突出させることを特徴とする真空断熱材の製造方法。
【請求項２】
外被材の最外層の樹脂が、ヒートシール性のある樹脂である請求項１に記載の真空断熱材の製造方法。
【請求項３】
再加熱加圧時に最外層と同じ樹脂で端部を覆うことを特徴とする請求項２に記載の真空断熱材の製造方法。
【請求項４】
外被材の最外層が、熱溶着層よりもガス透過度の低い樹脂である請求項２または３に記載の真空断熱材の製造方法。
【請求項５】
外被材の最外層が、熱溶着層よりも水蒸気透過度の低い樹脂である請求項２または３に記載の真空断熱材の製造方法。
【請求項６】
外被材の熱溶着層がポリオレフィン系樹脂であり、最外層がポリアクリロニトリルである請求項４に記載の真空断熱材の製造方法。
【請求項７】
外被材の熱溶着層がポリアクリロニトリルであり、最外層がポリオレフィン系樹脂である請求項５に記載の真空断熱材の製造方法。
【請求項８】
請求項１から７のいずれか一項に記載の真空断熱材の製造方法により製造された真空断熱材であって、同一平面上に複数の芯材を有し、複数の芯材は、隣接する前記芯材の間に位置する部分で２方向以上の折り曲げ線を形成できるように格子状または千鳥状互いに所定間隔離して配置されており、それぞれが独立した空間内に位置する真空断熱材。
【請求項９】
請求項１から７のいずれか一項に記載の真空断熱材の製造方法により製造された真空断熱材であって、同一平面上に複数の芯材を有し、複数の芯材は、芯材部で折り曲げが可能なように間隔を離さずに配置されており、それぞれが同一の空間内に位置する真空断熱材。
【請求項１０】
請求項８または９に記載の真空断熱材を適用した防寒具。
【請求項１１】
真空断熱材が保護袋に入っていることを特徴とする請求項１０に記載の防寒具。
【発明の詳細な説明】
【技術分野】
【０００１】
本発明は、保温や断熱が必要な分野への適用が可能な真空断熱材に関するものである。
【背景技術】
【０００２】
従来、レトルトパウチなどの包装材料では安全性確保のために、包装材料のコーナー部にアール形状を設けている。
【０００３】
また、真空断熱材の端部の処理としては、ガスバリア性の向上を目的として、図１２に示すようにエポキシ樹脂のようなガスバリア性の高い樹脂３５を真空断熱材３４の端部に塗布する技術がある（例えば、特許文献１参照）。
【特許文献１】特開昭６１−１１００８２号公報
【発明の開示】
【発明が解決しようとする課題】
【０００４】
しかしながら、上記特許文献１のように真空断熱材の端部に樹脂を塗布すると安全性は向上するが、エポキシ樹脂に追従性がないために、真空断熱材を折り曲げた時にエポキシ樹脂が割れてはがれてしまい、真空断熱材の折り曲げが不可能となり、防寒具など柔軟性を要する製品への適用が困難となるという課題が発生する。
【０００５】
本発明は、上記従来の課題を解決するもので、端部の安全性に優れた真空断熱材の製造方法を提供することを目的とする。
【課題を解決するための手段】
【０００６】
上記目的を達成するために、本発明は、切り取った真空断熱材の端部を再度加熱加圧することによって、ヒートシール性のある樹脂を外被材の端部から突出させて端部の安全性を向上させる。
【発明の効果】
【０００７】
本発明は、ヒートシール性のある樹脂を真空断熱材の端部から突出させることにより、切り出しの際に生じるバリがなくなるために、端部の安全性が向上する。
【０００８】
また、シールを２度行うことによって熱溶着層の厚さが薄くなるので、信頼性が向上する。さらに、使用する樹脂の構成によっては水蒸気バリア性やガスバリア性が向上するので断熱性能の信頼性を向上することも可能である。
【発明を実施するための最良の形態】
【０００９】
請求項１に記載の発明は、芯材と、前記芯材を覆う少なくともガスバリア層と熱溶着層とを有する外被材とで構成され、前記外被材を前記芯材がある部分を含めて減圧下で加熱加圧することによって、前記外被材の熱溶着層同士を前記芯材に沿うように前記芯材の際まで熱溶着した後、間に前記芯材を含まない前記外被材のみで構成される部分で切り取りを行い、前記切り取りで残った外周部分を再度加熱加圧して、ヒートシール性のある樹脂を端部に突出させるものであり、真空断熱材を切り出した後、その外周を再度加熱加圧することによって、ヒートシール性のある樹脂が溶けて端部から突出するために真空断熱材を切り出した際に生じるバリがなくなり安全性が向上する。
【００１０】
ここで、芯材は、繊維、粉末、発泡樹脂、多孔質体、薄膜積層体など、特に指定するものではない。例えば繊維系では、グラスウール、グラスファイバー、アルミナ繊維、シリカアルミナ繊維、シリカ繊維、ロックウール、炭化ケイ素繊維等の無機繊維、あるいは木綿、ポリエステル等の合成繊維等の有機繊維などが使用可能である。また、粉末ではシリカ、パーライト、カーボンブラック等の無機粉末、あるいは合成樹脂の粉末等の有機粉末などが使用可能である。また、発泡樹脂ではウレタンフォーム、フェノールフォーム、スチレンフォームなどが使用可能である。
【００１１】
また、外被材は、少なくともガスバリア層と熱溶着層を有する構成であればよく、その構成は特に指定するものではない。ガスバリア層としては、金属箔、または金属蒸着や無機蒸着を施したプラスチックフィルムが使用可能である。金属箔としては、アルミニウム、ステンレス、チタン、銅などの箔が使用可能であり、蒸着の材料としては、アルミニウム、コバルト、ニッケル、亜鉛、銅、銀、シリカ、アルミナなどが使用可能である。蒸着を施すプラスチックフィルムとしては、ポリエチレンテレフタレート、エチレン−ビニルアルコール共重合体樹脂、ポリエチレンナフタレート、ナイロン、ポリアミド、ポリイミドなどが使用可能である。また、熱溶着層は、低密度ポリエチレン、直鎖状低密度ポリエチレン、高密度ポリエチレン、無延伸ポリプロピレン、ポリアクリロニトリル、無延伸ポリエチレンテレフタレート、エチレン−ビニルアルコール共重合体樹脂などが使用可能である。
【００１２】
なお、真空断熱材切り取り後の加熱加圧は、真空断熱材の形状が四角形などの単純形状ならば外周のみに行ってもよいが、真空断熱材の形状が円形やＬ字型などの複雑形状の場合は、外周を含めた全面を加熱加圧してもよい。
【００１３】
請求項２に記載の発明は、請求項１に記載の発明における外被材の最外層の樹脂を、ヒートシール性のある樹脂としたものであり、最外層にもヒートシール性のある樹脂を使用すると、再加熱加圧時に熱溶着層だけでなく最外層も溶出し、端部を覆うことができるため請求項１よりも端部の安全性が向上する。
【００１４】
最外層に使用する樹脂は、ヒートシール性のある樹脂であればよく、低密度ポリエチレン、直鎖状低密度ポリエチレン、高密度ポリエチレン、無延伸ポリプロピレン、ポリアクリロニトリル、無延伸ポリエチレンテレフタレート、エチレン−ビニルアルコール共重合体樹脂などが使用可能である。
【００１５】
なお、最外層の樹脂の融点は熱溶着層の樹脂の融点以上であることがより望ましい。
【００１６】
請求項３に記載の発明は、請求項２に記載の発明に加えて、再加熱加圧時に最外層と同じ樹脂で端部を覆うものであり、最外層の溶出だけでなく、同じ樹脂フィルムを使用して真空断熱材の端部を覆うために、請求項２に記載の発明よりも確実に端面を覆うことができる。
【００１７】
請求項４に記載の発明は、請求項２または３に記載の発明における外被材の最外層を、熱溶着層よりもガス透過度の低い樹脂としたものであり、最外層が熱溶着層よりもガスバリア性に優れる樹脂であることを特徴としている。一般に樹脂の性質として、ガスバリア性と水蒸気バリア性の両方を兼ね備えることは難しく、どちらか一方が優れるとどちらか一方が劣るという特性がある。しかし、端面を２種類の樹脂で覆うことによって互いに補間することができるため、信頼性が向上する。
【００１８】
請求項５に記載の発明は、請求項２または３に記載の発明における外被材の最外層を、熱溶着層よりも水蒸気透過度の低い樹脂としたものであり、最外層が熱溶着層よりも水蒸気バリア性に優れる樹脂であることを特徴としている。請求項４に記載の発明と同様に、端面を２種類の樹脂で覆うことによって互いに補間することができるため、信頼性が向上する。
【００１９】
請求項６に記載の発明は、請求項４に記載の発明における外被材の熱溶着層をポリオレフィン系樹脂にし、最外層をポリアクリロニトリルにしたものであり、熱溶着層がポリオレフィン系樹脂、最外層がポリアクリロニトリルであることを特徴としている。ポリオレフィン系樹脂はヒートシール性や耐ピンホール性、水蒸気バリア性に優れるが、ガスバリア性が劣るという欠点を持つ。これをポリアクリロニトリルの高いガスバリア性によって補間することができるため、信頼性が向上する。
【００２０】
請求項７に記載の発明は、請求項５に記載の発明における外被材の熱溶着層をポリアクリロニトリルにし、最外層をポリオレフィン系樹脂にしたものであり、ポリアクリロニトリルはガスバリア性に優れるが、水蒸気バリア性が劣るという欠点をポリオレフィン系樹脂の高い水蒸気バリア性によって補間することができるため、信頼性が向上する。
【００２１】
請求項８に記載の発明は、請求項１から７のいずれか一項に記載の真空断熱材の製造方法により製造された真空断熱材であって、同一平面上に複数の芯材を有し、複数の芯材は、隣接する前記芯材の間に位置する部分で２方向以上の折り曲げ線を形成できるように格子状または千鳥状互いに所定間隔離して配置されており、それぞれが独立した空間内に位置する真空断熱材であり、真空断熱材の複数の独立空間内にそれぞれ芯材を有することを特徴としたものである。
【００２２】
これによって芯材が存在しない外被材のみで構成される熱溶着部の部分で自由に折り曲げることができ、かつ、折り曲げても端部に溶出した樹脂が追従性を持つので防寒具のような非常に柔軟性が要求されるような用途への適用も可能になる。
【００２３】
また、外被材のみから構成される部分に貫通孔を設けると、防寒具などへ適用した際には貫通孔から蒸気が外部に抜けるために、防寒具の内部が蒸れず快適である。
【００２４】
請求項９に記載の発明は、請求項１から７のいずれか一項に記載の真空断熱材の製造方法により製造された真空断熱材であって、同一平面上に複数の芯材を有し、複数の芯材は、芯材部で折り曲げが可能なように間隔を離さずに配置されており、それぞれが同一の空間内に位置する真空断熱材であり、真空断熱材の同一空間内に芯材を複数有することを特徴としたものである。これによって芯材同士の境目で曲げることができ、かつ、曲げても端部に溶出した樹脂が追従性を持つので湾曲した部分への適用が可能になる。
【００２５】
請求項１０に記載の発明は、請求項８または９に記載の真空断熱材を適用した防寒具であり、端部の安全性が高いために防寒具の着用時に真空断熱材と防寒具の摩擦が生じても防寒具の損傷を防止できる。
【００２６】
また、真空断熱材が取外し可能であると、防寒具のクリーニングや洗濯が可能となる。また、真空断熱材の適用と取外しにより温度調節が容易に可能となる。
【００２７】
請求項１１に記載の発明は、請求項１０に記載の発明において、真空断熱材が保護袋に入っているものであり、真空断熱材を保護する袋に入れて、防寒具に適用したことを特徴としており、クリーニングや洗濯時に真空断熱材を防寒具から取出し、外部に放置した場合でも真空断熱材の表面が外部にさらされることがないので真空断熱材の表面が傷つきにくくなる。また、真空断熱材が直接防寒具に触れないので、防寒具の損傷も生じない。保護袋は、衣服への適用時の快適性を考慮するとクッション性や通気性があるほうが望ましい。
【００２８】
以下、本発明の実施の形態について、図面を参照しながら説明する。なお、この実施の形態によってこの発明が限定されるものではない。
【００２９】
（実施の形態１）
図１は本発明の実施の形態１における真空断熱材の断面図、図２は真空断熱材の平面図、図３は図１の真空断熱材１の平面図である。
【００３０】
図１において、真空断熱材１は外被材２と芯材３から構成されている。図１に示すように、外被材２は、表側と裏側で同じ構成のラミネートフィルムを使用した。熱溶着層４が直鎖状低密度ポリエチレン、ガスバリア層がアルミ箔、その外側にナイロンを２層設けた構成である。また、芯材３はシリカ粉末とガラス繊維から構成される成形体である。
【００３１】
真空断熱材１の作製方法は、まず、熱溶着層４を上へ向けた外被材２の上に芯材３を所定間隔離して置き、これをもう１枚の外被材２で熱溶着層４同士が向き合うように覆う。さらに、これを減圧下にて面状のシリコンゴムヒーターで外被材２の全面を加熱し、熱溶着を行い、図２に示すような真空断熱材５を得る。最後に熱溶着部６内にある切り取り線７で切り取り、その外周を再度加熱加圧し、熱溶着層４を端部に溶出させ、図１や図３に示すような真空断熱材１を得る。
【００３２】
再度の加熱加圧により、切り取り後の端部のバリがなくなり、また、真空断熱材の熱溶着層の樹脂が端部に溶出するために、安全性が向上した。また、２度加熱加圧を行ったために熱溶着層の厚さが薄くなり、断熱性能の信頼性が向上した。
【００３３】
（実施の形態２）
図４は本発明の実施の形態２における真空断熱材の断面図、図５は真空断熱材の平面図である。
【００３４】
図４において、真空断熱材８は外被材９と芯材１０から構成されている。図４に示すように、外被材９は、真空断熱材８の表側と裏側で同じ構成のラミネートフィルムを使用した。熱溶着層１１が直鎖状低密度ポリエチレン、その外側に蒸着を施したエチレン−ビニルアルコール共重合体樹脂、その外側に蒸着を施したポリエチレンテレフタレート、その外側にナイロン、最外層１２に高密度ポリエチレンを設けた構成である。また、芯材１０はシリカ粉末とガラス繊維から構成される成形体である。
【００３５】
真空断熱材８の作製は、まず、熱溶着層１１を上へ向けた外被材９の上に芯材１０が隣接するように置き、これをもう１枚の外被材で熱溶着層１１同士が向き合うように覆う。さらに、これを減圧下にて面状のシリコンゴムヒーターで外被材９の全面を加熱し、熱溶着を行い、図５のような真空断熱材１３を得る。最後に熱溶着部１４内にある切り取り線１５で切り取り、その外周を再度加熱加圧し、図４のような真空断熱材８を得る。
【００３６】
真空断熱材８において、同一空間内にある芯材１０が分割された構成になっているため、曲げが可能である。
【００３７】
再度の加熱加圧により、切り取り後の端部のバリがなくなり、また、真空断熱材端部のヒートシール性のある樹脂が端部に溶出するために、安全性が向上した。また、加熱加圧によって熱溶着層の厚さが薄くなることと、端部を樹脂で包むことで断熱性能の信頼性が向上した。
【００３８】
（実施の形態３）
図６は本発明の実施の形態３における真空断熱材の断面図、図７は真空断熱材の平面図、図８は図６の平面図である。
【００３９】
図６において、真空断熱材１６は外被材１７と芯材１８から構成されている。図６に示すように、外被材１７は、真空断熱材１６の表側と裏側で異なる構成のラミネートフィルムを使用した。
【００４０】
１枚は熱溶着層１９が直鎖状低密度ポリエチレン、ガスバリア層がアルミ箔、その外側にナイロンを２層設け、最外層２０にポリアクリロニトリルを設けた構成であり、もう１枚は熱溶着層１９が直鎖状低密度ポリエチレン、その外側に蒸着を施したエチレン−ビニルアルコール共重合体樹脂、その外側に蒸着を施したポリエチレンテレフタレート、その外側にナイロン、最外層２０にポリアクリロニトリルを設けた構成である。また、芯材１８はガラス繊維から構成される成形体である。また、端部は最外層と同じ樹脂２１で覆われている。
【００４１】
真空断熱材１６の作製は、まず、熱溶着層１９を上へ向けた外被材１７の上に芯材１６を格子状に所定間隔離して置き、これをもう１枚の外被材で熱溶着層１９同士が向き合うように覆う。さらに、これを減圧下にて面状のシリコンゴムヒーターで外被材１７の全面を加熱し、熱溶着を行い、図７のような真空断熱材２２を得る。さらに熱溶着部２３内にある切り取り線２４で切り取る。
【００４２】
最後に、切り取った真空断熱材１６の外周よりも若干大きくなるように形状を合わせた最外層と同じ樹脂フィルム２１を２枚用意し、そこに真空断熱材１６を挟み、外周を再度加熱加圧し、図６または図８のような真空断熱材１６を得る。
【００４３】
また、図７の切り取り線２５のように切ると芯材１８が所定間隔離して配置してあるため、真空断熱材１６の芯材１８の間にある熱溶着部２３で自由に折り曲げが可能である。また、熱溶着部２３に貫通孔２６を設けることにより、この真空断熱材を防寒具へ適用する際には貫通孔２６から蒸気が外部に抜けるために、防寒具の内部が蒸れず快適である。
【００４４】
再度の加熱加圧により、切り取り後の端部のバリがなくなり、また、真空断熱材端部にヒートシール性のある樹脂が端部に溶出するために、安全性が向上した。また、端部を２種類の樹脂で包むことで侵入ガスや侵入水蒸気が少なくなり、断熱性能の信頼性が向上した。
【００４５】
なお、本実施の形態では、端部を覆うための最外層と同じ樹脂のフィルムの中央部をくり抜いているが、くり抜いてもくり抜かなくてもよい。
【００４６】
（実施の形態４）
図９は本発明の実施の形態４における真空断熱材の断面図である。
【００４７】
図９において、真空断熱材２７は外被材２８と芯材２９から構成されている。図９に示すように、外被材２８は、真空断熱材２７の表側と裏側で異なる構成のラミネートフィルムを使用した。
【００４８】
１枚は熱溶着層３０がポリアクリロニトリル、ガスバリア層がアルミ箔、その外側にナイロンを２層設け、最外層３１に無延伸ポリプロピレンを設けた構成であり、もう１枚は熱溶着層３０がポリアクリロニトリル、その外側に蒸着を施したエチレン−ビニルアルコール共重合体樹脂、その外側に蒸着を施したポリエチレンテレフタレート、その外側にナイロン、最外層３１に無延伸ポリプロピレンを設けた構成である。また、芯材２９はガラス繊維から構成される成形体である。また、端部は最外層と同じ樹脂３２で覆われている。
【００４９】
真空断熱材２７の作製方法は実施の形態３と同様なので説明は省略する。
【００５０】
芯材を所定間隔離して配置することにより、真空断熱材２７の芯材の間にある熱溶着部で自由に折り曲げが可能である。また、熱溶着部に貫通孔を設けることにより、この真空断熱材を防寒具へ適用する際には貫通孔から蒸気が外部に抜けるために、防寒具の内部が蒸れず快適である。
【００５１】
再度の加熱加圧により、切り取り後の端部のバリがなくなり、また、真空断熱材にヒートシール性のある樹脂が端部に溶出するために、安全性が向上した。また、端部を２種類の樹脂で包むことで侵入ガスや侵入水蒸気が少なくなり、断熱性能の信頼性が向上した。
【００５２】
（実施の形態５）
図１０は本発明の実施の形態４における真空断熱材を適用した防寒ジャケットの正面図、図１１は真空断熱材を適用した防寒ジャケットの背面図である。
【００５３】
本実施の形態の防寒ジャケット３３は、ジャケット３３の中に芯材の形状と数と大きさや芯材の間隔、および真空断熱材自体の形状をジャケット３３用に調整した実施の形態４の真空断熱材２７と同じ構成の真空断熱材を設けたものである。また、真空断熱材２７は、クッション性と通気性を併せ持つ保護袋に入れた後、ジャケット３３に形成された袋部に挿入している。
【００５４】
このジャケット３３は、真空断熱材２７を適用したために断熱性能が高く、また、真空断熱材２７が折り曲げ可能であるため動きやすい。
【００５５】
ここで、真空断熱材２７が、ジャケット３３に形成された袋部に挿入されているため、真空断熱材２７を見えないようにでき、真空断熱材２７に損傷を与える心配なく、ジャケット３３と真空断熱材１を容易に一体化でき、真空断熱材２７の取外し、取り替えが比較的簡単にできる。真空断熱材の端部の安全性が高いため、装着時にジャケットの袋部と真空断熱材との摩擦が生じてもジャケット３３を傷めない。
【００５６】
真空断熱材２７が取外し可能であるため、ジャケット３３のクリーニングや洗濯が可能であり、また、真空断熱材２７の適用と取外しにより簡単に温度調節ができる。
【００５７】
また、真空断熱材２７をクッション性のある保護袋に入れて、ジャケットに形成された袋部に挿入しているため、真空断熱材２７を取付けたり取出したりするときに直接使用者の手に触れないので安全性がさらに高くなり、また、クリーニング時など、真空断熱材を取出して外部に放置するときにもクッション性の素材が真空断熱材２７を保護するために傷つきを防止できる。
【００５８】
また、真空断熱材２７に貫通孔を設けると、この貫通孔から蒸気が外部に抜け、ジャケット３３の内側が蒸れず快適である。
【産業上の利用可能性】
【００５９】
以上のように、本発明の真空断熱材の製造方法で製造された真空断熱材は、端部の安全性や信頼性が高いために折り曲げが必要な防寒具などの保温用途などに適用できる。また、省エネルギーを必要とする保温保冷機器や、情報機器、電子機器等の省スペースを必要とする機器への適用も可能である。
【図面の簡単な説明】
【００６０】
【図１】本発明の実施の形態１における真空断熱材の断面図
【図２】本発明の実施の形態１における真空断熱材の平面図
【図３】本発明の実施の形態１における真空断熱材の平面図
【図４】本発明の実施の形態２における真空断熱材の断面図
【図５】本発明の実施の形態２における真空断熱材の平面図
【図６】本発明の実施の形態３における真空断熱材の断面図
【図７】本発明の実施の形態３における真空断熱材の平面図
【図８】本発明の実施の形態３における真空断熱材の平面図
【図９】本発明の実施の形態４における真空断熱材の断面図
【図１０】本発明の実施の形態５における防寒具の正面図
【図１１】本発明の実施の形態５における防寒具の背面図
【図１２】従来の真空断熱材の断面図
【符号の説明】
【００６１】
１    真空断熱材
２    外被材
３    芯材
４    熱溶着層
８    真空断熱材
９    外被材
１０  芯材
１１  熱溶着層
１２  最外層
１６  真空断熱材
１７  外被材
１８  芯材
１９  熱溶着層
２０  最外層
２１  最外層と同じ樹脂
２７  真空断熱材
２８  外被材
２９  芯材
３０  熱溶着層
３１  最外層
３２  最外層と同じ樹脂
３３  防寒ジャケット
【図１】
2006077790.tif 000003
【図２】
2006077790.tif 000004
【図３】
2006077790.tif 000005
【図４】
2006077790.tif 000006
【図５】
2006077790.tif 000007
【図６】
2006077790.tif 000008
【図７】
2006077790.tif 000009
【図８】
2006077790.tif 000010
【図９】
2006077790.tif 000011
【図１０】
2006077790.tif 000012
【図１１】
2006077790.tif 000013
【図１２】
2006077790.tif 000014